(57)【特許請求の範囲】
【請求項１】
木製ボード（１５，１６）を備え、この木製ボード（１５，１６）は、細長の、略台形形状を有し、前面に、中央の縦方向に成形されたストリング−キャリア部材（１８）が設けられていると共に、裏面に、中央の成形された補強ビーム（２０）が設けられ、木製の材料からなっており、上記補強ビーム（２０）に対して対称的に配置されている２つの側部成形部材つまりサウンドバーを有し、
上記補強ビーム（２０）の断面は、増加した高さ、つまり厚さ（Ｔ）を有する中央部（２０ａ）と、２つの隣接した対称的な側部つまりウイング（２０ｂ）とを有し、このウイング（２０ｂ）は、予め定められている最小値（ｔ）までの凹面のアーチ形の外形（２０ｃ）で、外側に向かうにつれて徐々に先細りになる高さ、つまり厚さを有し、
上記補強ビーム（２０）の側部つまりウイング（２０ｂ）の高さ、つまり厚さの上記最小値（ｔ）は、１ｍｍと５ｍｍとの間に含まれており、
チェストボトム（７）に隣接している上記補強ビーム（２０）の下半分において、補強ビーム（２０）の上記側部つまりウイング（２０ｂ）のそれぞれの横方向の幅（ｗ）は、中心部（２０ａ）の横方向の幅（Ｗ）の約２／３と３／３との間に含まれていることを特徴とするハープ（１）のためのサウンドボード（５）。
【請求項２】
請求項１に記載のサウンドボードにおいて、
上記木製ボード（１５，１６）の裏側つまり背面上で、上記中央の補強ビーム（２０）と上記ボード（１５，１６）の各縦方向に延在する側端部との間には、平面視で略三角形状を有する軽減凹部（３０）が形成されており、対応するサウンドバー（１９）が延在していることを特徴とするサウンドボード。
【請求項３】
請求項２に記載のサウンドボードにおいて、
上記凹部（３０）では、上記木製ボード（１５，１６）の厚さは、上部ブロック（８）の近くでの１％と、上記チェストボトム（７）の近くでの２５％との間で変化する或る量だけ減少していることを特徴とするサウンドボード。
【発明の詳細な説明】
【技術分野】
【０００１】
本発明は、ハープ、特にハープのためのサウンドボードに関する。
【０００２】
より具体的には、本発明は、木製のボードを備えるサウンドボードに関する。この木製ボードは、細長の、略台形形状を有し、前面に中央の縦方向に成形されたストリング−キャリア部材が設けられていると共に、裏面に中央の縦方向に成形された補強ビームが設けられている。上記木製のボードは、このビームに対して対称的に配置されている２つの側部成形部材つまりサウンドバーと同様に、特に、例えば未加工のブナ材などの木製材料からなっている。上記補強ビームの断面は、増加した高さ、つまり厚さを有する中央部と、２つの隣接した対称的な側部つまりウイングとを有している。このウイングは、予め定められている最小値までの凹面のアーチ形の外形で、外側に向かうにつれて徐々に先細りになる高さ、つまり厚さを有している。
この種のハープのためのサウンドボードは、シー・ウォルサマ（Ｃ．Ｗａｌｔｈａｍａ），エー・コットリック（Ａ．Ｋｏｔｌｉｃｋｉ）：「ハープサウンドボードの振動特性」，２００８年４月１６日，１頁〜１１頁，ＸＰ００２６３０６３４に開示されている。
【０００３】
コンサートハープでは、このタイプのサウンドボードは、（例えば）トウヒからなり、並んで配置されている２０のプランクを接着ボンディング（adhesively bonding）することによって製造され、５５ｃｍの最大幅と、約１４０ｃｍの長さを有し、例えば、１．３ｃｍの略一定の厚さを有する木製のボードを得る。そして、この木製ボードの外面または側部は、１枚の（例えば）モミ板で化粧張りされており、略１ｍｍ程度の厚さを有し、実質的に美的な機能を有している。次の段階では、この木製ボードは、平らな面を有するくさびのように、先細りであり、ベース部で１０ｍｍの厚さを有する共に、先端部（合板の層を含む）で２．５ｍｍの厚さを有している。
【０００４】
（例えば）未加工のブナで作られた補強ビームは、縦方向の軸上で、このように製造されたボードの内面または裏面また側部に接着ボンディングされ、同時に、（例えば）乾燥したブナで作られた成形されたストリング−キャリア部材は、外面または側部の軸に固定され、その後、ストリングフェルールは、上記成形されたストリング−キャリア部材内にセットされている。
【０００５】
現在まで、コンサートハープのためのサウンドボードは、完全に従来の態様で設計されると共に生産されている。
【０００６】
本発明の目的は、より高い構造的な抵抗、より大きなサウンド出力、および長い耐用年数のための最適かつ安定的な動作を有するように製造されたサウンドボードを提案することである。
【０００７】
この目的および他の目的は、上で定義されたタイプのサウンドボードによる本発明によって達成され、本発明は、上記補強ビームの側部つまりウイングの高さ、つまり厚さについて上述した最小値が、１ｍｍと５ｍｍとの間に含まれていることを特徴としている。また、本発明は、少なくとも上記補強ビームの下半分において、補強ビームの上記側部つまりウイングのそれぞれの横方向の幅が、中心部の横方向の幅の約２／３と３／３との間に含まれていることを特徴としている。
【０００８】
これらの特徴のために、上記補強ビームは、一般に、先行技術に係るサウンドボードのものに対して、横方向により広く、より浅いつまり薄い。
【０００９】
さらなる特徴について、本発明に係るサウンドボードでは、上記木製のボードの裏側つまり背面上の中央の補強ビームと、上記ボードの各縦方向に延在する側端部との間には、平面視で略三角形状を有する軽減凹部が形成されており、そこには、対応するサウンドバーが延在している。
【００１０】
適切には、上記凹部では、木製ボードの厚さは、上部ブロックの近くでの１％と、チェストボトムの近くでの２５％との間で変化する或る量だけ減少している。
【００１１】
このソリューション（solution）は、上記サウンドボードをより高弾性にすると共に、このボードの変形のうちのいくらか、したがって、横方向の応力のうちのいくらかを、補強ビームの領域から、曲げ応力がより多く含まれている、サウンドバーの方へ移動させることを可能にする。したがって、本発明に係るサウンドボードは、先行技術に係るボードに対して明らかに優れている全体的な弾性を有し、また、限界応力を、はるかに低いレベルに維持している。
【図面の簡単な説明】
【００１２】
本発明のさらなる特徴および利点は、添付の図面を参照して、非限定的な実施例によって純粋に与えられている、以下の詳細な記載から明らかになるだろう。
【図１】図１は、コンサートハープの外観斜視図である。
【図２】図２は、本発明に係るサウンドボードを備えるハープのためのサウンドチェストの部分分解斜視図である。
【図３】図３は、図２に示される上記サウンドボードの裏側つまり背面の斜視図である。
【図４】図４は、図３に示される上記サウンドボードの分解斜視図である。
【図５】図５は、図２に示される上記サウンドボードの横方向の断面図である。
【００１３】
図１では、コンサートハープは、全体として１によって示されている。それ自体が周知な態様で、このハープは、実質的に垂直のカラム２を備え、このカラム２は、ベース２ａから上方へ延在している。
【００１４】
ネック３として知られているものは、カラム２の上端部分から延在している。そして、上記首の遠位端は、サウンドチェストの上端部分に連結され、これは、全体として４によって示されている。
【００１５】
上記サウンドチェスト４は、サウンドボード５を有している。このサウンドボード５の周辺端部は、中空体６に強固に結合され、この中空体は、通常、円錐台の半分に似た形状に実質的に形成されている。
【００１６】
ハープ１は、複数のストリングＳを有している。このストリングＳの一端は、ネック３に取り付けられ、ストリングＳの他端は、サウンドボード５に固定されている。
【００１７】
特に図２，４および５を参照して、上記実施形態で図示されているサウンドチェスト４の中空体６は、支持構造を有し、
この支持構造は、
開口７ａを適切に有するボトム部つまりチェストボトム７と、上端部材、つまりチェストボトム７の横方向の寸法に対してかなり減少している横方向の寸法を有する上部ブロック８と、
中央縦バッテンつまりバックボード９、および２つの対称的な側部バッテンつまりプランク１０（特に図５参照）、上記チェストボトム７と上部ブロック８との間に延在しているバッテン９および１０と、
複数の、縦方向に互い違いの横方向の補強部材つまりブリッジ１１と
を備え、
各ブリッジ１１は、上記中央バッテンつまりバックボード９に結合されている中間部１１ａと、上記側部バッテンつまりプランク１０（図５）に結合されている端部１１ｂとを有している。
【００１８】
上述した実施形態では、上記支持構造は、４つのブリッジ１１と、両端および連続するブリッジ１１の各組の間の５つの対応する細長形状の開口９ａを有する中央バッテンつまりバックボード９とを有している。
【００１９】
外側シェル１２は、上述した支持構造に結合され、ほぼ円錐台の半分の形状を有し、例えば、多数重なったカエデ材で形成されている。このカエデ材は、曲げられて、チェストボトム７および上部ブロック８の外面に対するのと同様に、バックボード９、側部バッテンつまりプランク１０、およびブリッジ１１の外面にぴったりとくっつけられている。
【００２０】
上述したように、サウンドチェスト４では、バッテン９，１０およびブリッジ１１は、それぞれ、相互に結合するための部分を有し、実質的に相補的な横方向プロフィールを有し、少なくとも部分的にお互いに貫通させ合っている。
【００２１】
特に図５を参照して、凹型シート１１ｃは、各ブリッジ１１の中間部１１ａ内の中央バッテンあるいはバックボード９との結合のために事前に処理されている。この凹型シートは、上記バッテンつまりバックボード９の横方向プロフィールと相補的な、四角形溝として実質的に成形された横方向プロフィールを有している。
【００２２】
側部バッテンつまりプランク１０との結合のため、ブリッジ１１の端部１１ｂは、それぞれ、上記側部バッテンつまりプランク１０の横方向プロフィールと相補的な、好ましくは丸くなった頂点を有する略Ｌ字形状の横方向プロフィールを有する、凹型シート１１ｄを有している。
【００２３】
接着剤は、ブリッジの凹型シート１１ｃおよび１１ｄと、縦バッテン９および１０の対応する表面との間に介在している。
【００２４】
バッテン９，１０とブリッジ１１との間の結合は、特にねじなどの相互結合部材によって、より強化されると共に安定化される。この相互結合部材は、バッテン９，１０の外面から有利に挿入され、バッテン９，１０を通って延在し、その後、ブリッジ１１内に挿入されている。
【００２５】
特に図５から分かるように、ブリッジ１１およびバッテン９，１０の外面の横方向プロフィールは、お互いに連続的に連結し、同じ形で単一のアーチ形のプロフィールを形成している。
【００２６】
既に上で指摘したように、中空体６の内側に面するバッテン９，１０の表面は、適切には平らである。しかしながら、バッテン９，１０の外部つまり外面は、例えば約２ｍｍの相対的に含まれた最大曲げキャンバーで、適切に膨らんでいてもよい。
【００２７】
それ自体周知の態様のサウンドボード５は、チェストボトム7の方向において、シェル１２の横方向の幅に関して、だんだんと幅広になる横方向の幅を有している。
【００２８】
サウンドボード５の周辺端部と、シェル１２および相対的な支持構造９−１１との間の結合は、例えば合板の、１組の対称的なフィン１３によって実現されている。このウイング１３は、側部プランクつまりバッテン１０にぴったりとくっつけられると共に、シェル１２（図５）を越えて外側に突出している。ウイング１３の遠位端は、例えばモミ材のスプリントつまり小バンド１４によって、接着ボンディングによって、サウンドボード５に結合されている。
【００２９】
サウンドボード５は、それ自体周知の態様で、メインの木製ボード１５および合板１６(図４および５)の外側の層を有している。このメインボード１５は、スプリント１４が介在してウイング１３に適切にぴったりとくっつけられ、結合は、例えば、ボード１５の外側からスプリント１４を通ってねじ込まれるねじによって、適切に安定化されている。
【００３０】
成形されたストリング−キャリア部材１８は、外側つまりサウンドボード５の前面（図２，４および５）の中心に固定されている。
【００３１】
縦方向に成形された補強部材つまりビーム２０は、サウンドボード５の裏側つまり背面の中心に固定され、２つの側部が成形された部材つまりサウンドバー１９は、それらの側部から或る距離の箇所で対称的に固定されている（特に図３および５参照）。
【００３２】
図５で、よりはっきりとわかるように、補強ビーム２０は、増加した高さ、つまり厚さを有する実質的に長方形の中央部２０ａと、外側に向かうにつれて徐々に先細りになる高さ、つまり厚さを有する２つの隣接した、対称的な側部つまりウイング２０ｂを有している。側部ウイング２０ｂの高さか厚さの先細りは、ボード１５から離れる方向に向いて、凹面のアーチ形状のプロフィール２０ｃに続いていて、上記ウイングの外端部で、予め定められている最小値に達している。
【００３３】
補強ビーム２０の側部ウイング２０ｂの高さ、つまり厚さの最小値ｔは、１〜５ｍｍの間に適切に含まれている。
【００３４】
さらに、少なくとも補強ビームの下半分（つまり、チェストボトムに隣接している下半分）では、補強ビーム２０の側部ウイング２０ｂの各々の横方向幅ｗは、適切に中心部２０ａの横方向の幅Ｗの約２／３と３／３との間に含まれている。
【００３５】
したがって、この下側半分では、補強ビーム２０は、先行技術に係るサウンドボードのものに対して、横方向により広く、より浅いつまり薄い。結果として、ボードの負荷中の横方向の曲げ応力のピーク（側部つまりウイング２０ｂの終了ステップで通常）は、相当減少している。
【００３６】
特に、図３および図５を参照して、メインの木製のボード１５の反対側つまり裏面では、補強ビーム２０と、上記ボード１５の、それぞれ縦方向に延在する側部端との間に、平面視において実質的に三角形状（図３）を有する軽減凹部３０を形成している。
【００３７】
この軽減凹部３０において、上記木製ボードの厚さは、上部ブロック８の近くでの１％と、チェストボトム７の近くでの２５％との間で変化する或る量だけ減少している。
【００３８】
このソリューションは、サウンドボード５を全体としてより高弾性にすることを可能にし、このボードの変形のうちのいくらか、したがって、横方向の応力のうちのいくらかを、補強ビーム２０の領域から、通常、曲げ応力がより多く含まれているサウンドバー１９へ、伝えることを可能にできる。
【００３９】
したがって、本発明に係るサウンドボード５は、先行技術に係るボードに対して明らかに優れている全体的な弾性を有し、さらに、限界応力を、はるかに低いレベルに維持している。
【００４０】
上記サウンドボードの重量も、著しく減少している。
【００４１】
上記実施形態および構成の詳細は、明白に、本発明の原理から逸脱することなく、非限定的な例によって、純粋に記載されると共に図示されているものとかなり異なっていてもよく、したがって、添付の特許請求の範囲で定義されている発明の範囲から逸脱することはない。
【図１】
0005922109.tif 000002
【図２】
0005922109.tif 000003
【図３】
0005922109.tif 000004
【図４】
0005922109.tif 000005
【図５】
0005922109.tif 000006